(57)【要約】【課題】小型かつ低背のコネクタにおいてスライダをハウジングに対して回転可能とした場合であっても、スライダを円滑に動作させることが可能であり、しかもスライダの案内部材である案内突部が摩耗し難いメモリカード用コネクタ及び該メモリカード用コネクタを備えた携帯端末を提供する。【解決手段】スライダ４０の下面に形成した単一の案内突部４１が互いに平行な一対の側面を有し、ハウジングの下面に形成した単一の案内溝２９が、スライダが非導通位置を除く位置に位置するときに案内突部が係合する移動案内部２９ａと、スライダが非導通位置に位置するときに案内突部が係合する回転許容部２９ｂと、を有し、スライダを係合部４４がメモリカードＭＣの被係合部ＭＣ３に係合する方向に回転付勢する付勢手段Ｓ１を備える。【選択図】図１１
2010212146.tif 000002
【特許請求の範囲】
【請求項１】
側縁部に被係合部を有するメモリカードを挿脱可能な収納部、及び、該収納部に挿入したメモリカードの端子と電気的に導通するコンタクト、を有するハウジングと、
上記被係合部と係脱する係合部を有し、該係合部が上記被係合部と係合した状態で上記メモリカードと一緒に上記収納部内をスライドし、上記端子と上記コンタクトが非接触となる非導通位置と、上記端子とコンタクトが接触する導通位置とに移動可能なスライダと、
上記スライダにおける上記ハウジングの上面と下面の少なくとも一方との対向面に形成した単一の案内突部と、
上記ハウジングの上面と下面の少なくとも一方に形成した、上記案内突部が移動可能に係合することにより、上記スライダを上記非導通位置と導通位置の間で移動案内する単一の案内溝と、を備え、
上記案内突部が互いに平行な一対の側面を有し、
上記案内溝が、上記スライダが上記非導通位置を除く位置に位置するときに上記案内突部が係合する該案内突部と同幅かつ直線形状の移動案内部と、上記スライダが上記非導通位置に位置するときに上記案内突部が係合する、該案内突部より広幅で、該案内突部が上記係合部を被係合部に係合させる方向と係合を解除させる方向とに回転するのを許容する回転許容部と、を有し、
上記ハウジングとスライダの間に、該スライダを上記係合部が被係合部に係合する方向に回転付勢する付勢手段を設けたことを特徴とするメモリカード用コネクタ。
【請求項２】
請求項１記載のメモリカード用コネクタにおいて、
上記ハウジングが、上部ハウジングと下部ハウジングを備えるメモリカード用コネクタ。
【請求項３】
請求項１または２記載のメモリカード用コネクタにおいて、
上記スライダの上下両面が、上記ハウジングの上下両面にそれぞれ接触するメモリカード用コネクタ。
【請求項４】
請求項１から３のいずれか１項記載のメモリカード用コネクタにおいて、
一端部が上記スライダに回転可能に支持されると共に他端部が上記収納部の底面に形成したハートカム溝に係合し、該ハートカム溝との係合位置を変化させることにより上記スライダの上記導通位置への保持及び該保持の解除を行うカムバーを備えるメモリカード用コネクタ。
【請求項５】
請求項４記載のメモリカード用コネクタにおいて、
上記スライダにおける上記カムバーの回転支持部から外れた位置を上記付勢手段が付勢し、
上記ハウジングに、上記非導通位置に位置するスライダが上記係合部が被係合部と係合可能な位置まで回転したときに、該スライダに接触してスライダの該回転位置を保持する回転ストッパ面を形成したメモリカード用コネクタ。
【請求項６】
請求項１から５のいずれか１項記載のメモリカード用コネクタを備えたことを特徴とする携帯端末。
【発明の詳細な説明】
【技術分野】
【０００１】
本発明は、ｍｉｃｒｏＳＤカード等のメモリカード用のコネクタ及び該メモリカード用コネクタを備えた携帯端末に関する。
【背景技術】
【０００２】
この種のメモリカード用コネクタの従来技術としては、例えば特許文献１に開示されたものがある。
このメモリカード用コネクタは、メモリカードを挿脱可能に受け入れる収納部を備えるハウジングと、収納部内をメモリカードと一緒にスライドしかつメモリカードの側縁部に形成した凹部と係脱可能な爪部を有するスライダ（イジェクト部材）と、を備えている。収納部の底面には、収納部に挿入したメモリカードの端子と電気的に導通可能な多数のコンタクトが設けてある。また、スライダはメモリカードの端子とハウジングのコンタクトが非接触となる非導通位置と、端子とコンタクトが接触する導通位置とに移動可能である。
ハウジングの底面には前後一対のガイド孔が前後方向に並べて形成してある。一方のガイド孔はスライダのスライド方向と平行な直線溝であり、他方のガイド孔は一部が該スライド方向と平行な直線部で、残りの部分が該直線部より広幅の回転許容部となっている。一方、スライダの底面には、一対のガイド孔にそれぞれ移動可能に嵌合する前後一対の案内ピンが突設してある。さらに、ハウジングの底面には所謂ハートカム溝が形成してあり、このハートカム溝にはカムバーの一端が移動可能に係合しており、カムバーの他端はスライダに回転可能に接続している。さらにハウジングとスライダの間には、スライダを導通位置側から非導通位置側に向けて付勢するコイルスプリングが設けてある。そのため、メモリカードを挿入しないときスライダは非導通位置に位置し、一方の案内ピンが上記他方のガイド孔の回転許容部に係合する。
【０００３】
メモリカードをハウジングに挿入すると、メモリカードがスライダの爪部を押圧することにより一方の案内ピンが上記回転許容部内を回転し、スライダが非導通位置において回転するので、メモリカードはスライダの爪部を乗り越えてハウジングの奥側に進入する。そして、メモリカードが爪部を乗り越えた直後にコイルスプリングの付勢力によって元の位置に回転復帰したスライダの爪部がメモリカードの上記凹部に係合するので、スライダはメモリカードと一緒に導通位置までスライドする。
スライダが導通位置まで移動すると、カムバーの一端とハートカム溝の係合位置が変化し、ハートカム溝がカムバーを当該位置に保持するので、メモリカードに対する挿入力を解除した後もスライダは導通位置に保持される。
この状態でメモリカードをさらにハウジングの奥側に押し込むと、カムバーの一端とハートカム溝の係合位置がさらに変化し、ハートカム溝がカムバーの保持を解除するので、コイルスプリングの付勢力によってスライダが非導通位置に移動復帰し、メモリカードはハウジングから脱出可能になる。
【先行技術文献】
【特許文献】
【０００４】
【特許文献１】特許第４１１８６３３号公報
【発明の概要】
【発明が解決しようとする課題】
【０００５】
特許文献１のメモリカード用コネクタは、ハウジングの一方の案内孔にスライダの一方の案内ピンを係合し、ハウジングの他方の案内孔にスライダの他方の案内ピンを係合することにより、スライダをハウジングに対して移動案内している。
しかし、対をなす案内孔や案内ピンによるスライド機構を採用すると、スライダは一対の案内ピン間の距離より長くはスライドできなくなるので、スライダは自分自身の長さ以上に可動できない。
また、一方の案内ピンが上記回転許容部内を回転するときのスライダの回転角度は、他方の案内ピンと他方のガイド孔（直線溝）によって規制されるため大きくすることができない。
さらに、メモリカード用コネクタは１万回程度と非常に多くの挿脱回数を保証しなければならないが、特許文献１のコネクタにおいては円柱形状の案内ピンと案内孔の接触面積が小さいため、挿脱回数が多くなると案内ピンが磨耗して形状が変わったり、案内ピンが小さい場合は案内ピンそのものが削れてなくなり、スライダの動作に支障をきたす虞があった。
【０００６】
本発明の目的は、小型かつ低背のコネクタにおいてスライダをハウジングに対して回転可能とした場合であっても、メモリカードの挿脱回数が多い場合においてもスライダを円滑に動作させることが可能であり、しかもスライダの案内部材である案内突部が摩耗し難いメモリカード用コネクタ及び該メモリカード用コネクタを備えた携帯端末を提供することにある。
【課題を解決するための手段】
【０００７】
本発明のメモリカード用コネクタは、側縁部に被係合部を有するメモリカードを挿脱可能な収納部、及び、該収納部に挿入したメモリカードの端子と電気的に導通するコンタクト、を有するハウジングと、上記被係合部と係脱する係合部を有し、該係合部が上記被係合部と係合した状態で上記メモリカードと一緒に上記収納部内をスライドし、上記端子と上記コンタクトが非接触となる非導通位置と、上記端子とコンタクトが接触する導通位置とに移動可能なスライダと、上記スライダにおける上記ハウジングの上面と下面の少なくとも一方との対向面に形成した単一の案内突部と、上記ハウジングの上面と下面の少なくとも一方に形成した、上記案内突部が移動可能に係合することにより、上記スライダを上記非導通位置と導通位置の間で移動案内する単一の案内溝と、を備え、上記案内突部が互いに平行な一対の側面を有し、上記案内溝が、上記スライダが上記非導通位置を除く位置に位置するときに上記案内突部が係合する該案内突部と同幅かつ直線形状の移動案内部と、上記スライダが上記非導通位置に位置するときに上記案内突部が係合する、該案内突部より広幅で、該案内突部が上記係合部を被係合部に係合させる方向と係合を解除させる方向とに回転するのを許容する回転許容部と、を有し、上記ハウジングとスライダの間に、該スライダを上記係合部が被係合部に係合する方向に回転付勢する付勢手段を設けたことを特徴としている。
【０００８】
上記ハウジングが、上部ハウジングと下部ハウジングを備えるのが好ましい。
【０００９】
上記スライダの上下両面が、上記ハウジングの上下両面にそれぞれ接触するのが好ましい。
【００１０】
一端部が上記スライダに回転可能に支持されると共に他端部が上記収納部の底面に形成したハートカム溝に係合し、該ハートカム溝との係合位置を変化させることにより上記スライダの上記導通位置への保持及び該保持の解除を行うカムバーを備えるのが好ましい。
【００１１】
上記スライダにおける上記カムバーの回転支持部から外れた位置を上記付勢手段が付勢し、上記ハウジングに、上記非導通位置に位置するスライダが上記係合部が被係合部と係合可能な位置まで回転したときに、該スライダに接触してスライダの該回転位置を保持する回転ストッパ面を形成するのが好ましい。
【００１２】
いずれのメモリカード用コネクタも携帯端末に搭載可能である。
【発明の効果】
【００１３】
ハウジングとスライダに一対の案内突部と一対の案内溝をそれぞれ形成する場合は、コネクタを小型化するとスライダの移動可能距離が短くなり（一対の案内突部間の距離以下となる）、かつメモリカードの挿脱回数が多くなるとスライダの動作が不円滑になるおそれがあるが、本発明のメモリカード用コネクタは案内突部と案内溝がそれぞれ一つであるため、そのような問題が生じる余地がない。即ち、コネクタを小型化した上でスライダの移動可能距離を長くすることできるとともに、挿脱回数が多くなってもスライダを安定して円滑に動作させることが可能である。
また、非導通位置で案内突部自体が案内溝内で回転できるため、スライダの回転角度を大きくすることができる。そのため、メモリカード挿脱の作業性に優れた小型のコネクタを提供できる。
さらに、案内突部がスライダの移動方向と平行な一対の側面を有し、かつ、案内溝の移動案内部が案内突部と同幅なので、案内突部と案内溝がそれぞれ一つであるにも拘わらず、非導通位置を除く位置においてスライダを回転やがたつかせることなく円滑に移動案内できるため、メモリカードをハウジング内に確実に保持できる。
しかも、案内突部の両側面が案内溝の移動案内部の両側面と平行な平面なので、案内突部を移動案内部に対してスライドさせても案内突部は摩耗し難く変形もしない。そのため、スライダを繰り返しスライド動作させても、スライダの動作が不円滑になるおそれは低い。
【００１４】
請求項３記載の発明によれば、スライダとハウジングの摩擦抵抗を低減できるとともに上下方向のがたつきを抑えられることから、スライダの動きがより安定する。
【００１５】
請求項４記載の発明によれば、簡単な構成により、スライダを導通位置と非導通位置に移動させることができると共に、スライダの導通位置での保持及び該保持の解除を行えるようになる。
【００１６】
請求項５記載の発明によれば、スライダが非導通位置に位置するときに、付勢手段の付勢力によってスライダは係合部がメモリカードの被係合部と係合する方向に絶えず回転付勢されるので、スライダは回転支持部回りに回転する。そのため、非導通位置に位置するときのスライダによるメモリカードの保持力が高まり、かつ、スライダの係合部がメモリカードの被係合部に係合したときに良好なクリック感が得られる。
また、メモリカードを排出する際に付勢手段による付勢力によりメモリカードがコネクタから飛び出して脱落してしまうことを防止できる。
さらに、メモリカードの非装着時においてもスライダが動いたりがたついてしまうことがないので、コネクタが搭載された携帯端末等のアプリケーションを振ったり持ち運ぶ際にコネクタから異音を発することを防止できる。
【図面の簡単な説明】
【００１７】
【図１】本発明の一実施形態のコネクタとｍｉｃｒｏＳＤカードの斜視図である。
【図２】コネクタの分解斜視図である。
【図３】スライダの平面図である。
【図４】スライダの下側から見た斜視図である。
【図５】下部ハウジングの平面図である。
【図６】上部ハウジングを省略して示すコネクタとｍｉｃｒｏＳＤカードの斜視図である。
【図７】圧縮コイルばねを省略して示す図６のVII−VII矢線に沿う断面図である。
【図８】ｍｉｃｒｏＳＤカードをコネクタ内に挿入した初期状態の様子を上部ハウジングを省略して示す平面図である。
【図９】図８と同じ状態のときのコネクタとｍｉｃｒｏＳＤカードの底面図である。
【図１０】ｍｉｃｒｏＳＤカードをコネクタ内にさらに挿入することによりスライダが回転したときの図８と同様の平面図である。
【図１１】図１０と同じ状態のときの図９と同様の底面図である。
【図１２】スライダの係合凸部とｍｉｃｒｏＳＤカードの係合凹部が係合したときの図８と同様の平面図である。
【図１３】図１２と同じ状態のときの図９と同様の底面図である。
【図１４】スライダが導通位置に達したときの図８と同様の平面図である。
【図１５】図１４と同じ状態のときの図９と同様の底面図である。
【図１６】変形例の図８と同様に平面図である。
【発明を実施するための形態】
【００１８】
以下、添付図面を参照しながら本発明の一実施形態について説明する。なお、以下の説明中の前後、上下、及び左右の方向は図１等に記載した矢印の方向を基準としている。
図２等に示すように本実施形態のコネクタ１０はｍｉｃｒｏＳＤカードＭＣ用のコネクタであり、例えば携帯電話、ＰＤＡ、パーソナルコンピュータ、デジタルカメラ、デジタルビデオカメラ、携帯音楽端末等に実装可能である。
コネクタ１０は大きな構成要素として下部ハウジング１５、スライダ４０、カムバー５０、上部ハウジング６０、及び、圧縮コイルばね（付勢手段）Ｓ１を具備している。
平面視略矩形の下部ハウジング１５は、絶縁性の合成樹脂料からなる一体成形品であり、後部壁１６、左側壁１７及び右側壁１８で囲まれた部分は前面及び上面が開放された収納部１９となっている。下部ハウジング１５の底面には左右方向に並ぶ計８本のコンタクト２０が一列に設けてある。各コンタクト２０の前半部は収納部１９内に位置しており、各コンタクト２０の前端部は接触端部２０ａとなっている。また、各コンタクト２０の後端部は後部壁１６を後方に貫通するテール部２１となっており、各テール部２１は図示を省略した回路基板の回路パターンに半田付けしてある。さらに、左側壁１７と右側壁１８の外側面には各々に３つの係合突起２２が突設してある。
下部ハウジング１５の底面の後側の右角部近傍には、右側壁１８と平行をなすと共にその後端が後部壁１６に接続する後部隔壁２４が突設してある。さらに、下部ハウジング１５の前縁の右端部には右側壁１８の前端部に接続する前側端部壁２５が突設してあり、右側壁１８、前側端部壁２５、後部隔壁２４及び後部壁１６の右端部で囲まれた部分がばね収容空間２６となっている。後部壁１６の右端部の前面には前方に向かって延びる支持軸２７が突設してあり、収容空間２６の底面には前後方向に延びる摺接用リブ２８が突設してある。
下部ハウジング１５の底面には、ばね収容空間２６の左側に位置し、かつ前後方向に延びる案内溝２９が貫通溝として形成してある。案内溝２９は、左右両側面が共に前後方向に直線的に延びる（互いに平行である）平面をなす移動案内部２９ａと、移動案内部２９ａの前端に連なり、かつ移動案内部２９ａより左右幅が広い台形形状をなす案内許容部２９ｂと、を有している。
下部ハウジング１５の底面部の案内溝２９の直後に位置する部分には、平面視で略ハート形状をなすハートカム溝３０が凹設してある。ハートカム溝３０はハート形凸部３１の周囲に凹設した多数の段差を有する溝であり、その前端部をなす初期係合部３０ａと、ハート形凸部３１の右側に位置する押し込み時通過部３０ｂと、ハート形凸部３１の後端部に位置する保持部３０ｃと、ハート形凸部３１の左側に位置する戻り時通過部３０ｄとを有している。
左側壁１７にはテール部（図示略）を有する第１スイッチ端子３３が一体的に設けてある。左側壁１７の前後方向の中間部に凹設した取付溝３２には、第１スイッチ端子３３の内側に位置する第２スイッチ端子３４が嵌合固定してある。第２スイッチ端子３４の後端部近傍には右側に向かって突出する被押圧部３５が突設してあり、外側面の後端部には突起３６が突設してあり、かつ前端部にはテール部３７が形成してある。第１スイッチ端子３３のテール部（図示略）と第２スイッチ端子３４のテール部３７は共に、上記回路基板の検知用回路パターンに半田付けしてある。
【００１９】
合成樹脂材による成形品であるスライダ４０の下面には、案内溝２９の移動案内部２９ａと略同幅かつ移動案内部２９ａより前後長が短い案内突部４１が突設してある。案内突部４１の左右両側面は移動案内部２９ａの両側面及び案内許容部２９ｂの左側面と平行な平面であり、案内突部４１の左右幅は案内許容部２９ｂより狭い。案内突部４１は案内溝２９に摺動可能に嵌合しているので、スライダ４０は移動案内部２９ａに沿って下部ハウジング１５の底面上をスライド可能である。さらに、案内突部４１が案内突部４１より広幅である案内許容部２９ｂ内に位置すると、案内突部４１（スライダ４０）は案内許容部２９ｂに対して回転可能となる。案内突部４１が移動案内部２９ａ内の所定位置に位置するときのスライダ４０の位置が導通位置（図１４及び図１５の位置）であり、案内突部４１が案内許容部２９ｂ内に位置するときのスライダ４０の位置が非導通位置（図６〜図１３の位置）である。スライダ４０の左端部にはメモリカード係合部４２が設けてあり、メモリカード係合部４２の前端部の左側面は前後方向及び左右方向に対して略４５°の角度で傾斜する傾斜面４３となっている。また、スライダ４０の前端部には左方に向かって突出する係合凸部（係合部）４４が突設してある。スライダ４０の右端部の後面には、案内突部４１を案内溝２９に係合したときにばね収容空間２６内に位置する支持軸４５が後方に向けて突設してある。ばね支持軸４５とばね支持軸２７には自由状態から圧縮された圧縮コイルばねＳ１の前後両端部がそれぞれ嵌っているので、スライダ４０に圧縮コイルばねＳ１以外の外力を掛けない状態においてスライダ４０は上記非導通位置に位置する。
スライダ４０の後端部の上面にはばね支持軸４５から収納部１９側にオフセットした位置に支持用凹部（回転支持部）４６が下向きに凹設してある。さらに、スライダ４０の上面には（案内突部４１が移動案内部２９ａに係合するときに）前後方向に延びかつ長さがそれぞれ異なる３つの摺接リブ４７が突設してあり、スライダ４０の下面には摺接リブ４７と平行でかつ長さがそれぞれ異なる３つの摺接リブ４８が突設してある。案内突部４１を案内溝２９に係合すると、各摺接リブ４８は下部ハウジング１５の底面にスライド可能に接触し、かつスライダ４０の底面（摺接リブ４８とは別の箇所）が下部ハウジング１５の摺接用リブ２８にスライド可能に接触する。
【００２０】
カムバー５０は、下部ハウジング１５の底面に形成したハートカム溝３０とスライダ４０を連係する部材である。即ち、カムバー５０はその前後両端部に下向きに屈曲する前端係合突部５１と後端係合突部５２を有しており、前端係合突部５１はスライダ４０の支持用凹部４６に回転可能に支持され、後端係合突部５２はハートカム溝３０に相対移動可能に係合している。
このようにスライダ４０、圧縮コイルばねＳ１、及び、カムバー５０を収納する下部ハウジング１５の上部は、金属板のプレス成形品であり下部ハウジング１５とハウジングを構成する上部ハウジング（シェル）６０によって覆われている。上部ハウジング６０の側壁には複数の係合孔６１が形成してあり、さらに上部ハウジング６０の前端には下向きの嵌合突部６２が突設してある。そして、各係合孔６１に下部ハウジング１５の対応する係合突起２２を嵌合し、嵌合突部６２を下部ハウジング１５の前側端部壁２５に凹設した嵌合凹部２３に嵌合することにより、上部ハウジング６０を下部ハウジング１５に装着している。上部ハウジング６０を下部ハウジング１５に装着すると、スライダ４０の各摺接リブ４７が上部ハウジング６０の天井面に接触する。また、上部ハウジング６０の左右の側壁の下端部にはそれぞれ２つのテール部６３が突設してあり、これらテール部６３は上記回路基板の接地パターンに半田付けしてある。
図１及び図２に示すように、上部ハウジング６０の上面の後端の右側角部近傍には、上記プレス成形によって上部ハウジング６０の成形時に同時に成形した片持ち式の板ばね６４が設けてある。この板ばね６４はカムバー５０を常に下部ハウジング１５の底面側（下向き）に押圧する付勢手段である。
【００２１】
次に以上構成のコネクタ１０にｍｉｃｒｏＳＤカードＭＣを挿脱するときの動作について説明する。
ｍｉｃｒｏＳＤカードＭＣは、その右側縁部の後部に係合突部ＭＣ１を有し、係合突部ＭＣ１の後面は当接傾斜面ＭＣ２となっている。また、ｍｉｃｒｏＳＤカードＭＣの右側縁部には係合突部ＭＣ１の直前に位置する係合凹部（被係合部）ＭＣ３が凹設してあり、ｍｉｃｒｏＳＤカードＭＣの下面には８つの端子ＭＣ４が形成してある。
図１に示すようにコネクタ１０にｍｉｃｒｏＳＤカードＭＣを挿入していない状態においては、図６及び図７に示すようにスライダ４０は上記非導通位置に位置している。さらに、圧縮コイルばねＳ１の軸（ばね支持軸２７）から左側にオフセットした位置でカムバー５０の前端係合突部５１と支持用凹部４６が回転可能に係合しているため、スライダ４０は圧縮コイルばねＳ１から平面視で時計方向の回転付勢力を受けている。そのため、スライダ４０の案内突部４１の左側面が案内許容部２９ｂの左側面（回転ストッパ面）に接触するので（図１３参照）、スライダ４０は各摺接リブ４７、４８が前後方向を向く回転位置に保持されている。また、カムバー５０の後端係合突部５２はハートカム溝３０の初期係合部３０ａに係合している（図６及び図７参照）。
この状態でｍｉｃｒｏＳＤカードＭＣをコネクタ１０の前面開口部から収納部１９内に挿入し後方に押し込むと、ｍｉｃｒｏＳＤカードＭＣの係合突部ＭＣ１の当接傾斜面ＭＣ２がスライダ４０の係合凸部４４に接触し、支持用凹部４６を回転中心としてスライダ４０を平面視で反時計方向に回転付勢する。すると、図９に示すようにそれまで移動案内部２９ａと平行だった案内突部４１が案内許容部２９ｂ内で回転するので、図８に示すようにスライダ４０が平面視で反時計方向に回転する。ｍｉｃｒｏＳＤカードＭＣをさらに後方に押し込むと、図１１に示すように案内突部４１が案内許容部２９ｂ内でさらに回転するので、図１０に示すようにスライダ４０が平面視で反時計方向にさらに回転し、かつ係合突部ＭＣ１の側面が係合凸部４４の側面に接触する。ｍｉｃｒｏＳＤカードＭＣをさらに後方に押し込むと、図１２に示すように係合突部ＭＣ１が係合凸部４４を乗り越えてスライダ４０の係合凸部４４とメモリカード係合部４２の間の凹部に嵌合し当接傾斜面ＭＣ２と傾斜面４３が当接しかつ係合凸部４４が係合凹部ＭＣ３と係合するので、圧縮コイルばねＳ１の付勢力によってスライダ４０が平面視で時計方向に回転する。そのため、スライダ４０の摺接リブ４７及び摺接リブ４８が再び前後方向を向き、かつ図１３に示すように案内突部４１の後部が移動案内部２９ａの前端部に係合し、かつ案内突部４１の左側面が案内許容部２９ｂの左側面に接触する。
このようにｍｉｃｒｏＳＤカードＭＣの係合突部ＭＣ１がスライダ４０の凹部に係合することによりｍｉｃｒｏＳＤカードＭＣがスライダ４０と一体化した後にｍｉｃｒｏＳＤカードＭＣをさらに後方に押圧すると、初期係合部３０ａの前端に係合していたカムバー５０の後端係合突部５２が初期係合部３０ａ及び押し込み時通過部３０ｂに係合しながら後方に移動するので、カムバー５０及びスライダ４０が下部ハウジング１５に対して後方に直線的にスライドする。そして、後端係合突部５２が押し込み時通過部３０ｂの後端部（ハート形凸部３１の後方に位置する部分）まで移動した後にｍｉｃｒｏＳＤカードＭＣに対する後方への押圧力を解除すると、圧縮コイルばねＳ１の付勢力によって前方に押圧されたカムバー５０の後端係合突部５２がハートカム溝３０の保持部３０ｃに係合するのでカムバー５０の前方移動が規制される。そのため、スライダ４０が図１４及び図１５に示す導通位置に保持され、各端子ＭＣ４が対応するコンタクト２０の接触端部２０ａに接触することにより電気的に導通する。
さらに、スライダ４０が導通位置まで移動すると、ｍｉｃｒｏＳＤカードＭＣの前端部の左側面が第２スイッチ端子３４の被押圧部３５を左側に押圧するので、突起３６が第１スイッチ端子３３の右側面の前端部に接触する。すると、上記回路基板に形成した検知用回路パターンを通してコネクタ１０を実装した電子機器（携帯電話、パーソナルコンピュータ、デジタルカメラ等）の制御部に検知信号が送られるので、該制御部がｍｉｃｒｏＳＤカードＭＣとコンタクト２０が電気的に導通したことを検知する。
【００２２】
カムバー５０の後端係合突部５２と保持部３０ｃによってスライダ４０を導通位置に保持した状態で、スライダ４０を再度圧縮コイルばねＳ１による前向きの付勢力に抗して後方に押し込み、さらにｍｉｃｒｏＳＤカードＭＣに対する後方への押圧力を解除すると、圧縮コイルばねＳ１による前向きの付勢力により後端係合突部５２が保持部３０ｃから離れて戻り時通過部３０ｄ側に移動し、戻り時通過部３０ｄを通って初期係合部３０ａの前端まで自動的に移動する。従って、スライダ４０は図１２及び図１３に示す非導通位置に復帰し、ｍｉｃｒｏＳＤカードＭＣの端子と各コンタクト２０の接触が解除される。さらに、ｍｉｃｒｏＳＤカードＭＣの前端部の左側面が第２スイッチ端子３４の被押圧部３５から離れ、第２スイッチ端子３４の突起３６が第１スイッチ端子３３の右側面の前端部から離れるので、ｍｉｃｒｏＳＤカードＭＣとコンタクト２０が非導通状態になったことを上記電子機器の制御部が検知する。
このようにスライダ４０が非導通位置に復帰した後に、ｍｉｃｒｏＳＤカードＭＣを手で掴んでさらに前方に引き出せば、係合突部ＭＣ１がスライダ４０の係合凸部４４を前方に押圧しスライダ４０が平面視で反時計方向に回転する。すると、係合突部ＭＣ１が係合凸部４４を前方に乗り越えるので、ｍｉｃｒｏＳＤカードＭＣをコネクタ１０から前方に取り出すことができる。ｍｉｃｒｏＳＤカードＭＣを取り出すと、スライダ４０は圧縮コイルばねＳ１の付勢力によって図６の位置まで再び回転する。
【００２３】
以上説明したように本実施形態では、下部ハウジング１５に形成した案内溝２９とスライダ４０に形成した案内突部４１が共に一つであるため、特許文献１のコネクタのようにハウジングとスライドに一対の案内突部と一対の案内溝をそれぞれ形成する場合のような問題が生じる余地がない。即ち、コネクタ１０を小型化した上でスライダ４０の移動可能距離を長くすることできる。
さらに、案内突部４１がスライダ４０の移動方向（移動案内部２９ａの延長方向）と平行な一対の側面を有し、かつ、案内突部４１が案内溝２９の移動案内部２９ａと同幅なので、案内突部４１と案内溝２９がそれぞれ一つであるにも拘わらず、非導通位置を除く位置においてスライダ４０を回転やがたつくことなく円滑に移動案内でき、かつｍｉｃｒｏＳＤカードＭＣをハウジング（下部ハウジング１５及び上部ハウジング６０）内に確実に保持できる。
特に、ｍｉｃｒｏＳＤカードＭＣ挿入状態（図１４、図１５）においては一般ユーザーがｍｉｃｒｏＳＤカードＭＣを無理に引き抜いてしまおうとする誤操作、所謂無理抜き操作をする虞があるが、スライダ４０の案内突部４１が移動案内部２９ａにより回転が規制されているため、ｍｉｃｒｏＳＤカードＭＣが容易に抜ける虞がない。また、案内突部４１を長く形成できるため案内部４１の破損を抑止できる。
しかも、案内突部４１の両側面が移動案内部２９ａの両側面と平行な平面なので、案内突部４１を移動案内部２９ａに対してスライドさせても案内突部４１の側面は摩耗し難い。そのため、スライダ４０を繰り返しスライド動作させても、スライダ４０の形状が変化したり動作が不円滑になるおそれは低い。
また、スライダ４０の案内突部４１自身が回転許容部２９ｂ内で回転することから、スライダ４０の回転角度を大きくすることが可能となる。これにより、小型のコネクタ１０においても、ｍｉｃｒｏＳＤカードＭＣの挿脱作業性を良好にできる。
さらに、スライダ４０の上下両面に形成した摺接リブ４７と摺接リブ４８が下部ハウジング１５の底面と上部ハウジング６０の天井面にそれぞれ接触するので、スライダ４０を下部ハウジング１５及び上部ハウジング６０に対して安定した状態でスライドさせることが可能である。
しかも、スライダ４０が非導通位置に位置するときに、圧縮コイルばねＳ１がスライダ４０の回転中心である支持用凹部４６から右側にずれた位置を前方に移動付勢することによりスライダ４０を平面視で時計方向に回転付勢しているので、スライダ４０には常にスライダ４０の上記凹部とｍｉｃｒｏＳＤカードＭＣの係合突部ＭＣ１が係合する方向の回転モーメントが生じる。そのため、非導通位置に位置するときのスライダ４０によるｍｉｃｒｏＳＤカードＭＣの保持力が高まるので、スライダ４０の上記凹部がｍｉｃｒｏＳＤカードＭＣの係合突部ＭＣ１に係合したときに良好なクリック感を得ることが出来る。また、ｍｉｃｒｏＳＤカードＭＣの排出の際に圧縮コイルばねＳ１による付勢力でｍｉｃｒｏＳＤカードＭＣが勢い良くコネクタ１０から飛び出して脱落してしまうことを抑止できる。さらには、ｍｉｃｒｏＳＤカードＭＣが装着されていな状態においてもスライド４０は絶えず回転モーメントを受けているため動いたりがたつくことはなく、それゆえコネクタ１０が搭載された携帯端末等のアプリケーションを振ったり持ち運ぶ際にコネクタ１０から異音を発することを防止できる。
【００２４】
本発明は本実施形態に限定されるものではなく、様々な変形を施しながら実施可能である。
例えば、図１６に示すように、下部ハウジング１５の右側壁１８の前端部の内面に圧縮コイルばねＳ２の右端部を固定してもよい。このようにすると、スライダ４０が導通位置に位置するときはスライダ４０が圧縮コイルばねＳ２から後方に離間し、スライダ４０が非導通位置に移動したときに圧縮コイルばねＳ２がスライダ４０の右側面によって圧縮されるので、圧縮コイルばねＳ２の左端（自由端）がスライダ４０を平面視で時計方向に回転付勢する。このように、圧縮コイルばねＳ１のみならず圧縮コイルばねＳ２によってもスライダ４０をｍｉｃｒｏＳＤカードＭＣと係合する方向に回転付勢するので、スライダ４０とｍｉｃｒｏＳＤカードＭＣの係合力を高めることが可能になる。
また、非導通位置に位置するスライダ４０が平面視で反時計方向に最も回転したときに（図１０の状態になったときに）スライダ４０の右側面と右側壁１８の内側面の間の隙間をなくすために、右側壁１８の内側面の当該部分を左側に出っ張らせて、当該部分によってスライダ４０の回転を規制してもよい。このように構成すれば下部ハウジング１５の剛性が向上するので、例えばｍｉｃｒｏＳＤカードＭＣをコネクタ１０に対して斜め方向に挿抜することにより、スライダ４０と下部ハウジング１５の間に大きな力が発生した場合に下部ハウジング１５が破損するのを防止できる。
【００２５】
また、案内溝２９に相当する溝を上部ハウジング６０に形成し、スライダ４０の上部ハウジング６０と対向する面に案内突部４１に相当する突部を形成しもよい。さらには、下部ハウジング１５と上部ハウジング６０の両方に案内溝２９に相当する溝を形成し、スライダ４０の上下両面に案内突部４１に相当する突部を形成してもよい。
さらに、圧縮コイルばねＳ１や圧縮コイルばねＳ２を別タイプの付勢手段（例えば引張ばね）によって構成してもよい。
さらに、前側端部壁２５とスライダ４０の前端との間に、圧縮コイルばねＳ１よりも付勢力が小さい圧縮コイルばね（ブレーキ用付勢手段）を設けてもよい。
また、本実施形態のコネクタ１０はｍｉｃｒｏＳＤカードＭＣ用のものであるが、その他のメモリカード（ＳＤカード、ｍｉｎｉＳＤカード、ｍｉｃｒｏＳＤカード、メモリースティック、ｘＤピクチャーカード、ＭＭＣ等）用のコネクタとして実施することは勿論可能である。
【符号の説明】
【００２６】
１０    コネクタ
１５    下部ハウジング
１６    後部壁
１７    左側壁
１８    右側壁
１９    収納部
２０    コンタクト
２０ａ  接触端部
２１    テール部
２２    係合突起
２３    嵌合凹部
２４    後部隔壁
２５    前側端部壁
２６    ばね収容空間
２７    ばね支持軸
２８    摺接用リブ
２９    案内溝
２９ａ  移動案内部
２９ｂ  回転許容部
３０    ハートカム溝
３０ａ  初期係合部
３０ｂ  押し込み時通過部
３０ｃ  保持部
３０ｄ  戻り時通過部
３１    ハート形凸部
３２    取付溝
３３    第１スイッチ端子
３４    第２スイッチ端子
３５    被押圧部
３６    突起
３７    テール部
４０    スライダ
４１    案内突部
４２    メモリカード係合部
４３    傾斜面
４４    係合凸部（係合部）
４５    ばね支持軸
４６    支持用凹部（回転支持部）
４７  ４８  摺接リブ
５０    カムバー
５１    前端係合突部
５２    後端係合突部
６０    上部ハウジング（シェル）
６１    係合孔
６２    嵌合突部
６３    テール部
６４    板ばね
ＭＣ    ｍｉｃｒｏＳＤカード（メモリカード）
ＭＣ１  係合突部
ＭＣ２  当接傾斜面
ＭＣ３  係合凹部（被係合部）
ＭＣ４  端子
Ｓ１    圧縮コイルばね（付勢手段）
Ｓ２    圧縮コイルばね（回転付勢手段）
【図１】
2010212146.tif 000003
【図２】
2010212146.tif 000004
【図３】
2010212146.tif 000005
【図４】
2010212146.tif 000006
【図５】
2010212146.tif 000007
【図６】
2010212146.tif 000008
【図７】
2010212146.tif 000009
【図８】
2010212146.tif 000010
【図９】
2010212146.tif 000011
【図１０】
2010212146.tif 000012
【図１１】
2010212146.tif 000013
【図１２】
2010212146.tif 000014
【図１３】
2010212146.tif 000015
【図１４】
2010212146.tif 000016
【図１５】
2010212146.tif 000017
【図１６】
2010212146.tif 000018